(57)【要約】【課題】出力される音声によって設定状態などを把握できるカメラを提供する。【解決手段】カメラ１では、撮影モードや各撮影条件について、初期設定とは異なる条件に設定されると、表示モニタ７には対応するアイコンなどが表示される。設定確認ボタン９ｃの押圧時には、表示モニタ７にアイコンなどで表示される内容に対応する音声が出力される。また、カメラ１では、各撮影条件の設定の際には、撮影条件の設定操作のどの段階であるのかといったカメラ１の現在の状態が表示モニタ７に表示される。各撮影条件の設定の際には、表示モニタ７にアイコンなどで表示される内容に対応する音声が出力される。【選択図】図１
2009117947.tif 000002
【特許請求の範囲】
【請求項１】
被写体像を撮像する撮像手段と、
使用者の操作により撮影に関する各種撮影条件や前記使用者の指示を入力する操作部材と、
前記操作部材で入力された前記撮影条件を設定する撮影条件設定手段と、
前記撮影条件設定手段で設定された前記撮影条件について音声出力する音声出力手段とを備えることを特徴とするカメラ。
【請求項２】
請求項１に記載のカメラにおいて、
前記音声出力手段は、前記操作部材で入力された前記使用者の指示に応答して、前記操作部材で入力された前記使用者の指示に対応する音声を出力することを特徴とするカメラ。
【請求項３】
請求項１に記載のカメラにおいて、
前記撮影条件設定手段で設定されている前記撮影条件を確認するための前記使用者の指示を入力する撮影条件確認指示操作部材をさらに備え、
前記音声出力手段は、撮影条件確認指示操作部材で前記確認の指示が入力されると、前記設定されている前記撮影条件を音声で案内することを特徴とするカメラ。
【請求項４】
請求項２に記載のカメラにおいて、
前記撮影条件設定手段は、前記撮影条件を設定する際に、前記操作部材に入力された前記使用者の指示に基づいて前記撮影条件を変更し、変更した前記撮影条件を確定させるように前記使用者の指示が前記操作部材に入力されると、変更した前記撮影条件を確定して設定し、
前記音声出力手段は、前記撮影条件設定手段が前記操作部材に入力された前記使用者の指示に基づいて前記撮影条件を変更すると、前記撮影条件設定手段が変更した変更後の前記撮影条件を音声で案内することを特徴とするカメラ。
【請求項５】
請求項２に記載のカメラにおいて、
前記撮影条件設定手段は、前記撮影条件を設定する際に、前記操作部材に入力された前記使用者の指示に基づいて前記撮影条件を変更し、変更した前記撮影条件を確定させるように前記使用者の指示が前記操作部材に入力されると、変更した前記撮影条件を確定して設定し、
前記音声出力手段は、前記撮影条件を設定する際に、前記撮影条件を確定させるための操作の手順を音声で案内することを特徴とするカメラ。
【請求項６】
請求項２に記載のカメラにおいて、
前記操作部材に入力された前記使用者の指示に応じて表示内容を変更する第１の表示手段をさらに備え、
前記音声出力手段は、前記第１の表示手段に表示された表示内容に関する音声を出力することを特徴とするカメラ。
【請求項７】
請求項３に記載のカメラにおいて、
前記撮影条件設定手段で設定されている前記撮影条件について表示する第２の表示手段をさらに備え、
前記音声出力手段は、前記撮影条件確認指示操作部材に前記使用者の指示が入力されると、前記撮影条件設定手段で設定されている前記撮影条件のうち、前記第２の表示手段に表示されている前記撮影条件についての音声を出力することを特徴とするカメラ。
【請求項８】
請求項３に記載のカメラにおいて、
前記音声出力手段は、前記撮影条件確認指示操作部材に前記使用者の指示が入力されると、前記撮影条件設定手段で設定されている前記撮影条件のうち、初期設定の状態とは異なる撮影条件について音声を出力することを特徴とするカメラ。
【請求項９】
請求項３に記載のカメラにおいて、
前記音声出力手段は、前記撮影条件確認指示操作部材に前記使用者の指示が入力されると、前記撮影条件が初期設定の状態とは異なるか否かにかかわらず、前記撮影条件設定手段で設定されている前記撮影条件について音声を出力することを特徴とするカメラ。
【請求項１０】
請求項１〜９のいずれか一項に記載のカメラにおいて、
所定の条件下で前記音声出力手段からの音声出力を禁止する音声出力禁止手段をさらに備えることを特徴とするカメラ。
【請求項１１】
請求項１０に記載のカメラにおいて、
少なくともイヤホンやヘッドホンなどの音声を出力する外部音響機器を接続する、外部音響機器接続部をさらに備え、
前記音声出力禁止手段は、前記外部音響機器接続部に前記外部音響機器が接続されると、前記音声出力手段からの音声出力を禁止するとともに、前記外部音響機器接続部を介して前記外部音響機器からの音声出力を許可することを特徴とするカメラ。
【発明の詳細な説明】
【技術分野】
【０００１】
本発明は、被写体像を撮像するカメラに関する。
【背景技術】
【０００２】
カメラの各種の設定方法について音声で案内を行うカメラが知られている（特許文献１参照）
【０００３】
【特許文献１】特開２００１−６６６８４号公報
【発明の開示】
【発明が解決しようとする課題】
【０００４】
しかし、従来のカメラでは、各種の設定方法を音声で案内するに留まり、設定内容そのものの音声案内が行われない。そのため、表示部に表示された設定内容を視認しないとカメラがどのような状態にあるのかを把握することができなかった。
【課題を解決するための手段】
【０００５】
（１）  請求項１の発明によるカメラは、被写体像を撮像する撮像手段と、使用者の操作により撮影に関する各種撮影条件や使用者の指示を入力する操作部材と、操作部材で入力された撮影条件を設定する撮影条件設定手段と、撮影条件設定手段で設定された撮影条件について音声出力する音声出力手段とを備えることを特徴とする。
（２）  請求項２の発明は請求項１に記載のカメラにおいて、音声出力手段は、操作部材で入力された使用者の指示に応答して、操作部材で入力された使用者の指示に対応する音声を出力することを特徴とする。
（３）  請求項３の発明は、請求項１に記載のカメラにおいて、撮影条件設定手段で設定されている撮影条件を確認するための使用者の指示を入力する撮影条件確認指示操作部材をさらに備え、音声出力手段は、撮影条件確認指示操作部材で確認の指示が入力されると、設定されている撮影条件を音声で案内することを特徴とする。
（４）  請求項４の発明は、請求項２に記載のカメラにおいて、撮影条件設定手段は、撮影条件を設定する際に、操作部材に入力された使用者の指示に基づいて撮影条件を変更し、変更した撮影条件を確定させるように使用者の指示が操作部材に入力されると、変更した撮影条件を確定して設定し、音声出力手段は、撮影条件設定手段が操作部材に入力された使用者の指示に基づいて撮影条件を変更すると、撮影条件設定手段が変更した変更後の撮影条件を音声で案内することを特徴とする。
（５）  請求項５の発明は、請求項２に記載のカメラにおいて、撮影条件設定手段は、撮影条件を設定する際に、操作部材に入力された使用者の指示に基づいて撮影条件を変更し、変更した撮影条件を確定させるように使用者の指示が操作部材に入力されると、変更した撮影条件を確定して設定し、音声出力手段は、撮影条件を設定する際に、撮影条件を確定させるための操作の手順を音声で案内することを特徴とする。
（６）  請求項６の発明は、請求項２に記載のカメラにおいて、操作部材に入力された使用者の指示に応じて表示内容を変更する第１の表示手段をさらに備え、音声出力手段は、第１の表示手段に表示された表示内容に関する音声を出力することを特徴とする。
（７）  請求項７の発明は、請求項３に記載のカメラにおいて、撮影条件設定手段で設定されている撮影条件について表示する第２の表示手段をさらに備え、音声出力手段は、撮影条件確認指示操作部材に使用者の指示が入力されると、撮影条件設定手段で設定されている撮影条件のうち、第２の表示手段に表示されている撮影条件についての音声を出力することを特徴とする。
（８）  請求項８の発明は、請求項３に記載のカメラにおいて、音声出力手段は、撮影条件確認指示操作部材に使用者の指示が入力されると、撮影条件設定手段で設定されている撮影条件のうち、初期設定の状態とは異なる撮影条件について音声を出力することを特徴とする。
（９）  請求項９の発明は、請求項３に記載のカメラにおいて、音声出力手段は、撮影条件確認指示操作部材に使用者の指示が入力されると、撮影条件が初期設定の状態とは異なるか否かにかかわらず、撮影条件設定手段で設定されている撮影条件について音声を出力することを特徴とする。
（１０）  請求項１０の発明は、請求項１〜９のいずれか一項に記載のカメラにおいて、所定の条件下で音声出力手段からの音声出力を禁止する音声出力禁止手段をさらに備えることを特徴とする。
（１１）  請求項１１の発明は、請求項１０に記載のカメラにおいて、少なくともイヤホンやヘッドホンなどの音声を出力する外部音響機器を接続する、外部音響機器接続部をさらに備え、音声出力禁止手段は、外部音響機器接続部に外部音響機器が接続されると、音声出力手段からの音声出力を禁止するとともに、外部音響機器接続部を介して外部音響機器からの音声出力を許可することを特徴とする。
【発明の効果】
【０００６】
本発明によれば、カメラから出力される音声によってカメラの状態を把握できる。
【発明を実施するための最良の形態】
【０００７】
図１〜１４を参照して、本発明によるカメラの一実施の形態を説明する。図１（ａ）は、本発明を適用したカメラを正面（前側）から見た斜視図であり、図１（ｂ）は、背面（後側）から見た斜視図である。説明の便宜上、図示のようにカメラの上下左右方向および前後方向を規定する。カメラ１の筐体であるカメラボディ１０には、上面左側にレリーズボタン２が設けられ、上面右側にモード切り替えダイヤル３が設けられている。カメラボディ１０の前面には、撮影レンズ用の窓部１１と、被写体に光を照射する発光部１２とが設けられている。
【０００８】
カメラボディ１０の後面には、ズームレバー５と、十字操作キー６と、表示モニタ７と、ＤＥＬボタン９ａと、ＭＥＮＵボタン９ｂと、設定確認ボタン９ｃと、ＰＬＡＹボタン９ｄと、音声案内切り替え操作部１３とが設けられている。カメラボディ１０の左側側面には、イヤホン端子１４が設けられている。カメラ１の撮像光学系は、窓部１１から入射した被写体光束を高さ方向に屈折させる屈折光学系として構成されている。
【０００９】
レリーズボタン２は、レリーズ操作を行うための操作ボタンである。モード切り替えダイヤル３は、撮影モードの選択の際に操作されるダイヤルである。ズームレバー５は、不図示のレンズ鏡筒に配置される撮像光学系の焦点距離の変更操作を行うための操作レバーであり、左右端の押圧操作が可能である。十字操作キー６は、各種メニューの項目等を選択するための操作ボタンであり、上下左右方向および圧下方向に操作可能である。
【００１０】
表示モニタ７は、たとえば液晶表示装置（ＬＣＤ）などの表示装置である。表示モニタ７は、撮像して得られた画像や各種のメニュー画面を表示する表示モニタとして働くほか、撮像時に、被写体の画像（スルー画）を表示する電子ファインダとして働く。
【００１１】
ＤＥＬボタン９ａは、撮像して得た画像を消去する際に操作される操作ボタン（消去ボタン）である。ＭＥＮＵボタン９ｂは、各種機能を設定するメニュー画面を表示モニタ７に表示させる際に操作される操作ボタンである。設定確認ボタン９ｃは、カメラ１の現在の設定状態を音声で確認する際に操作される操作ボタンである。設定確認ボタン９ｃの操作、および、音声案内の内容などについては後に詳述する。ＰＬＡＹボタン９ｄは、撮像済みの画像を表示モニタ７に表示させる際などに操作される操作ボタン（再生ボタン）である。
【００１２】
音声案内切り替え操作部１３は、カメラ１の操作に関する音声案内の有無や音声案内のモードを切り替えるための、スライド操作式の操作部である。音声案内切り替え操作部１３の操作については後に詳述する。イヤホン端子１４は、イヤホンやヘッドホンなどの外部の音響機器を接続するための端子である。イヤホン端子１４からは、音声案内の音声信号が出力される。
【００１３】
図２は、カメラ１の構成を説明するブロック図である。ＣＰＵ１０１は、後述する各部から出力される信号を入力して所定の演算を行い、演算結果に基づく制御信号を各部へ出力する。ＣＰＵ１０１は各部とバスを介して接続されている。
【００１４】
撮像素子２０２は、ＣＣＤイメージセンサなどによって構成される。撮像素子２０２は、不図示のレンズ鏡筒のレンズを通過した被写体光による像を撮像し、撮像信号をアナログフロントエンド（ＡＦＥ）１２３へ出力する。ＡＦＥ１２３は、ＩＳＯ感度の調整など、撮像素子２０２から出力されたアナログ撮像信号の処理を行うほか、アナログ撮像信号をデジタル信号に変換してＡＳＩＣ１２４に出力する。ＡＳＩＣ１２４は、ＡＦＥ１２３から出力されたデジタル変換後の画像データにホワイトバランス処理などの画像処理を行うほか、画像サイズの変更や、画像処理後の画像データを所定の形式で圧縮する圧縮処理、圧縮された画像データを伸長する伸長処理などを行う。
【００１５】
操作スイッチ１４０は、カメラ１の各部の操作のためのボタンなどに連動してＣＰＵ１０１に信号を出力するスイッチ群である。操作スイッチ１４０は、たとえば下記の各スイッチ１４１〜１４９から成る。レリーズスイッチ１４１は、レリーズボタン２に連動してレリーズ操作信号をＣＰＵ１０１に出力する。レリーズ操作信号には、レリーズボタン２の半押し操作に対応する半押し操作信号と、半押し操作より深く押下される全押し操作に対応する全押し操作信号とがある。
【００１６】
モード切り替えスイッチ１４２は、モード切り替えダイヤル３の回動位置に応じた信号をＣＰＵ１０１に出力する。ＤＥＬスイッチ１４３、ＭＥＮＵスイッチ１４４、設定確認スイッチ１４５、およびＰＬＡＹスイッチ１４６は、それぞれＤＥＬボタン９ａ、ＭＥＮＵボタン９ｂ、設定確認ボタン９ｃ、およびＰＬＡＹボタン９ｄが押圧操作されると操作信号をＣＰＵ１０１に出力する。
【００１７】
十字キースイッチ１４７は、十字操作キー６の操作に応じた信号をＣＰＵ１０１に出力する。十字操作キー６の上部が押圧されると、十字キースイッチ１４７は上方向信号を出力する。十字操作キー６の下部が押圧されると、十字キースイッチ１４７は下方向信号を出力する。十字操作キー６の右部が押圧されると、十字キースイッチ１４７は右方向信号を出力する。十字操作キー６の左部が押圧されると、十字キースイッチ１４７は左方向信号を出力する。十字操作キー６が圧下されると、十字キースイッチ１４７は圧下信号を出力する。
【００１８】
音声案内切り替えスイッチ１４８は、音声案内切り替え操作部１３の操作位置に応じた信号をＣＰＵ１０１に出力する。ズームスイッチ１４９は、ズームレバー５の操作に応じた信号をＣＰＵ１０１に出力する。ズームレバー５の右端が押圧操作されるとズームスイッチ１４９は望遠指示信号を出力し、ズームレバー５の左端が押圧操作されるとズームスイッチ１４９は広角指示信号を出力する。
【００１９】
記憶媒体装着部１６１は、たとえばメモリカード１６２などの記憶媒体を着脱可能に保持し、装着された記憶媒体に記録されたデータの読み込みや消去、記憶媒体へのデータの書き込みを行う。記憶媒体には、画像処理後の画像データが記録される。音声出力回路１６３は、ＣＰＵ１０１から出力された音声信号を増幅して出力する回路である。音声出力回路１６３には、スピーカ１６４と、イヤホン接続部１６５とが接続されている。スピーカ１６４は、音声出力回路１６３から出力された音声信号を音声として出力する。
【００２０】
イヤホン接続部１６５は、イヤホン１６６などの外部の音響機器の接続部であり、イヤホン端子１４を備えている。イヤホン接続部１６５は、イヤホン端子１４に接続された外部の音響機器に、音声出力回路１６３から出力された音声信号をイヤホン端子１４を介して出力する。また、イヤホン接続部１６５は、イヤホン端子１４に外部の音響機器が接続されると、外部の音響機器（外部音響機器）が接続されたことを示す信号（外部音響機器接続信号）を音声出力回路１６３に出力する。なお、音声出力回路１６３は、イヤホン接続部１６５から外部音響機器接続信号を受信すると、スピーカ１６４への音声信号の出力を禁止し、イヤホン接続部１６５にのみ音声信号を出力する。また、音声出力回路１６３は、イヤホン接続部１６５から受信した外部音響機器接続信号をＣＰＵ１０１に送信する。
【００２１】
表示制御部１７１は、ＣＰＵ１０１から出力される信号に基づいて、表示モニタ７の表示制御を行う。発光管駆動回路１７２は、ＣＰＵ１０１から出力される信号に基づいて、発光部１２に設けられた発光管１２ａに対する発光開始および発光停止を指示して発光制御を行う。
【００２２】
このように構成されるカメラ１では、従来からあるカメラと同様に被写体像の撮像や、撮像された画像の表示モニタ７への表示ができる。また、本実施の形態のカメラ１では、従来からあるカメラと同様に、画像のサイズや画質、ホワイトバランス、補助光の発光許可／禁止などの種々の撮影条件などを設定可能である。
【００２３】
ところで、従来のカメラでは、各撮影条件の現在の設定状態を確認するには、たとえば表示モニタ７のような表示装置を視認しなければならなかった。また、従来のカメラでは、各撮影条件を設定する際に、現在の状態が設定操作のどの段階の状態であるのか、撮影条件設定に際しての複数の選択肢の中からどの選択肢を選ぼうとしているのか、などは、表示装置の表示内容を視認しないと分からなかった。そのため、たとえば視覚に障碍を持つ使用者は、カメラの現在の設定状態や、各撮影条件を設定する際に次のどのような操作を行えばよいのかが分からなかった。
【００２４】
そこで、本実施の形態のカメラ１では、各撮影条件の現在の設定状態を音声で案内するように構成した。また、本実施の形態のカメラ１では、各撮影条件の設定操作の際に、現在の状態が設定操作のどの段階の状態であるのか、撮影条件設定に際しての複数の選択肢の中からどの選択肢を選ぼうとしているのか、などを音声で案内するように構成した。以下、詳述する。なお、以下の説明では、イヤホン端子１４に外部音響機器が接続されていないことを前提として説明する。
【００２５】
−−−現在の設定状態の音声案内−−−
本実施の形態のカメラ１では、被写体像の撮像を行ういずれかの撮影モードに設定されているときに、設定確認ボタン９ｃが押圧されると、モード切り替えダイヤル３の回動位置に応じて設定されている撮影モードを音声で通知する。たとえば、モード切り替えダイヤル３によって、ポートレート撮影に適したポートレートモードに設定されている場合、設定確認ボタン９ｃが押圧されると、スピーカ１６４から、たとえば「ポートレートモードです。」といった音声が出力される。また、たとえば、モード切り替えダイヤル３によって、風景撮影に適した風景モードに設定されている場合、設定確認ボタン９ｃが押圧されると、スピーカ１６４から、たとえば「風景モードです。」といった音声が出力される。
【００２６】
すなわち、ＣＰＵ１０１は、被写体像の撮像を行ういずれかの撮影モードに設定されているときに、設定確認スイッチ１４５からの操作信号を受信すると、モード切り替えスイッチ１４２から出力される信号に基づいて、現在設定されている撮影モードを音声案内するための音声信号を音声出力回路１６３に出力する。これにより、スピーカ１６４から、現在の撮影モードの名称が音声で出力される。
【００２７】
また、本実施の形態のカメラ１では、被写体像の撮像を行ういずれかの撮影モードに設定されているときに、設定確認ボタン９ｃが押圧されると、使用者による撮影条件の設定（変更）によって初期設定とは異なる条件に設定されている撮影条件を音声で通知する。また、カメラ１は、使用者による撮影条件が初期設定と同じであれば、設定確認ボタン９ｃが押圧されてもその条件については音声通知を行わない。たとえば、使用者の設定操作によって、補助光の発光モードが初期設定（たとえば自動発光モード）とは異なる発光禁止モードに設定されている場合、設定確認ボタン９ｃが押圧されると、スピーカ１６４から、たとえば「補助光発光禁止モードです」といった音声が出力される。
【００２８】
たとえば、使用者の設定操作によって補助光の発光モードが初期設定とは異なる赤目軽減モードに設定されている場合、設定確認ボタン９ｃが押圧されると、スピーカ１６４から、たとえば「補助光赤目軽減モードです」といった音声が出力される。たとえば、使用者の設定操作によって補助光の発光モードが初期設定とは異なる強制発光モードに設定されている場合、設定確認ボタン９ｃが押圧されると、スピーカ１６４から、たとえば「補助光強制発光モードです」といった音声が出力される。
【００２９】
たとえば、使用者の設定操作によって、ＩＳＯ感度が初期設定（たとえばＩＳＯ感度１００）とは異なる感度（たとえばＩＳＯ感度２００）に設定されている場合、設定確認ボタン９ｃが押圧されると、スピーカ１６４から、たとえば「ＩＳＯ感度２００です」といった音声が出力される。たとえば、使用者の設定操作によって、ホワイトバランスが初期設定（たとえば「オート」）とは異なる「蛍光灯」に設定されている場合、設定確認ボタン９ｃが押圧されると、スピーカ１６４から、たとえば「ホワイトバランス蛍光灯です」といった音声が出力される。
【００３０】
たとえば、使用者の設定操作によってマクロ撮影モードが設定されている場合、設定確認ボタン９ｃが押圧されると、スピーカ１６４から、たとえば「マクロ撮影モードです」といった音声が出力される。たとえば、使用者の設定操作によって手ぶれ補正モードが設定されている場合、設定確認ボタン９ｃが押圧されると、スピーカ１６４から、たとえば「手ぶれ補正モードです」といった音声が出力される。
【００３１】
すなわち、ＣＰＵ１０１は、設定確認スイッチ１４５からの操作信号を受信すると、初期設定とは異なる条件に設定されている撮影条件の有無を判断する。そして、初期設定とは異なる条件に設定されている撮影条件が有ると判断すると、ＣＰＵ１０１は、当該撮影条件の設定状態について音声案内するための音声信号を音声出力回路１６３に出力する。
【００３２】
撮影モードや、初期設定とは異なる条件に設定されている撮影条件について音声案内されている途中で、設定確認ボタン９ｃが長押し操作されると、当該音声案内が中止される。また、撮影モードや、初期設定とは異なる条件に設定されている撮影条件について音声案内されている途中で、設定確認ボタン９ｃが短押し操作されると、設定確認ボタン９ｃが短押し操作された時点で音声案内をしている項目については、音声案内が中止され、次に音声案内を行う項目についての音声案内が開始される。たとえば、ホワイトバランスについて音声案内されている途中で設定確認ボタン９ｃが短押し操作されると、ホワイトバランスについて音声案内が中止され、次に音声案内を行う撮影条件（たとえば手ぶれ補正）についての音声案内が開始される。
【００３３】
すなわち、ＣＰＵ１０１は、撮影モードや撮影条件の設定状態について音声案内するための音声信号を音声出力回路１６３に出力している最中に、設定確認スイッチ１４５からの操作信号を一定時間以上継続して受信すると、音声信号の音声出力回路１６３への出力を強制的に終了させる。
【００３４】
また、ＣＰＵ１０１は、撮影モードや撮影条件の設定状態について音声案内するための音声信号を音声出力回路１６３に出力している最中に、設定確認スイッチ１４５からの操作信号を短時間だけ受信すると、現在出力している項目（たとえばホワイトバランス）についての音声信号の出力を中止し、次に出力する項目（たとえば手ぶれ補正）についての音声信号の出力を開始する。
【００３５】
−−−撮影条件設定時の音声案内−−−
本実施の形態のカメラ１では、視覚に障碍のある人であっても容易に撮影条件の設定操作ができるように、撮影条件の設定に際して音声で案内を行う。たとえば、いずれかの撮影モードに設定されているときに、十字操作キー６の上部が押圧されると、補助光の発光モードの切り替え操作が可能となるようにカメラ１が構成されているものとする。いずれかの撮影モードに設定されているときに、十字操作キー６の上部が押圧されると、図３（ａ）に示すように、表示モニタ７に、補助光発光モードの選択メニュー画面７１が表示される。なお、選択メニュー画面７１は、スルー画に重畳して表示される。図３（ａ）に示す選択メニュー画面７１では、複数の補助光発光モードを示すアイコン７１ａ〜７１ｄの中から自動発光モードを示すアイコン７１ａの表示位置にカーソル７１ｅが移動した状態となっている。
【００３６】
また、スピーカ１６４からは、たとえば「補助光発光モード選択メニューに入りました。現在、自動発光モードです。」というように、補助光発光モードの選択メニュー画面に遷移（移行）した旨、および、現在設定されている補助光発光モードが音声で通知される。さらに、スピーカ１６４からは、たとえば「十字キーの上下を操作して補助光発光モードを選択してください。選択された補助光発光モードを確定させる際には、十字キーの中央を押してください。」というように、補助光発光モードの選択方法、および、確定方法が音声で通知される。このように、スピーカ１６４からは、撮影条件の設定操作のどの段階であるのかといったカメラ１の現在の状態、および、以降の操作手順が音声で通知される。
【００３７】
すなわち、ＣＰＵ１０１は、いずれかの撮影モードに設定されているときに、十字キースイッチ１４７からの上方向信号を受信すると、表示モニタ７に、現在設定されている補助光発光モードに基づいて、図３（ａ）に示すような補助光発光モードの選択メニュー画面７１をスルー画に重畳表示させるよう表示制御部１７１を制御する。また、ＣＰＵ１０１は、いずれかの撮影モードに設定されているときに、十字キースイッチ１４７からの上方向信号を受信すると、補助光発光モードの選択メニュー画面に移行した旨、現在設定されている補助光の発光モード、および、補助光の発光モードの選択・確定方法に関する操作の手順を音声案内するための音声信号を音声出力回路１６３に出力する。
【００３８】
ここで、十字操作キー６の下部が押圧されると、選択メニュー画面７１上のカーソル７１ｅがアイコン７１ａの表示位置から下方に移動して、図３（ｂ）に示すように、アイコン７１ａの１つ下に表示された発光禁止モードを示すアイコン７１ｂの表示位置に移動する。また、スピーカ１６４からは、たとえば「発光禁止モードです。」というように、移動したカーソル７１ｅによって選択されている補助光の発光モード（すなわち変更された撮影条件）が音声で通知される。
【００３９】
さらに、十字操作キー６の下部が押圧されると、選択メニュー画面７１上のカーソル７１ｅがアイコン７１ｂの表示位置から下方に移動して、図３（ｃ）に示すように、アイコン７１ｂの１つ下に表示された強制発光モードを示すアイコン７１ｃの表示位置に移動する。また、スピーカ１６４からは、たとえば「強制発光モードです。」というように、移動したカーソル７１ｅによって選択されている補助光の発光モードが音声で通知される。
【００４０】
さらに、十字操作キー６の下部が押圧されると、選択メニュー画面７１上のカーソル７１ｅがアイコン７１ｃの表示位置から下方に移動して、アイコン７１ｃの１つ下に表示された赤目軽減モードを示すアイコン７１ｄの表示位置に移動する（不図示）。また、スピーカ１６４からは、たとえば「赤目軽減モードです。」というように、移動したカーソル７１ｅによって選択されている補助光の発光モードが音声で通知される。
【００４１】
さらに、十字操作キー６の下部が押圧されると、選択メニュー画面７１上のカーソル７１ｅが選択メニュー画面７１の一番上に表示された自動発光モードを示すアイコン７１ａの表示位置に移動する。すなわち、選択メニュー画面７１上のカーソル７１ｅがサイクリックに移動するので、表示モニタ７の表示画面は、図３（ａ）に示す状態に戻る。また、スピーカ１６４からは、たとえば「自動発光モードです。」というように、移動したカーソル７１ｅによって選択されている、すなわち、カーソル７１ｅの移動先に対応する補助光の発光モードが音声で通知される。
【００４２】
なお、表示モニタ７に選択メニュー画面７１が表示されているときに、十字操作キー６の上部が押圧されると、十字操作キー６の下部が押圧されたときとは逆に、選択メニュー画面７１上のカーソル７１ｅは上方にサイクリックに移動する。また、スピーカ１６４からは、移動したカーソル７１ｅによって選択されている補助光の発光モードが音声で通知される。
【００４３】
すなわち、ＣＰＵ１０１は、補助光発光モードの選択メニュー画面７１を表示モニタ７に表示させているときに、十字キースイッチ１４７からの上方向信号、または、下方向信号を受信すると、カーソル７１ｅの表示位置を上方向または下方向に１つ移動させるように表示制御部１７１を制御する。また、ＣＰＵ１０１は、補助光発光モードの選択メニュー画面７１を表示モニタ７に表示させているときに、十字キースイッチ１４７からの上方向信号、または、下方向信号を受信すると、カーソル７１ｅの移動先に対応する補助光発光モードについての音声信号を音声出力回路１６３に出力する。
【００４４】
たとえば、図３（ｂ）に示すように、カーソル７１ｅによって発光禁止モードが選択されているときに、十字操作キー６が圧下されると、補助光発光モードが発光禁止モードに設定される。そして、図３（ｄ）に示すように、選択メニュー画面７１の表示が中止されるとともに、表示モニタ７には、補助光発光モードを示すアイコン７ａが表示される。なお、補助光発光モードを示すアイコン７ａは、補助光発光モードが初期設定である自動発光モードに設定されているときには表示されないが、自動発光モード以外の発光モードに設定された場合には、設定されている発光モードに対応するものが表示モニタ７に表示される。
【００４５】
また、図３（ｂ）に示すように、カーソル７１ｅによって発光禁止モードが選択されているときに、十字操作キー６が圧下されると、スピーカ１６４からは、たとえば「発光禁止モードに設定されました。」というように、設定された補助光発光モード（すなわち変更されて確定された撮影条件）が音声で通知される。
【００４６】
すなわち、ＣＰＵ１０１は、補助光発光モードの選択メニュー画面７１を表示モニタ７に表示させているときに、十字キースイッチ１４７からの圧下信号を受信すると、カーソル７１ｅによって選択されている発光モードを補助光発光モードとして設定する。そして、ＣＰＵ１０１は、選択メニュー画面７１の表示モニタ７への表示を中止するとともに、設定された補助光発光モードが自動発光モード以外であれば、設定された発光モードに対応するアイコンを表示モニタ７に表示させるように表示制御部１７１を制御する。また、ＣＰＵ１０１は、設定した発光モードを音声案内するための音声信号を音声出力回路１６３に出力する。
【００４７】
−−−ＭＥＮＵボタン９ｂが押圧された場合−−−
いずれかの撮影モードに設定されているときに、ＭＥＮＵボタン９ｂが押圧されると、表示モニタ７のスルー画の表示が中止され、図４（ａ）に示すように、表示モニタ７に、撮影メニュー画面７２が表示される。図４（ａ）に示す撮影メニュー画面７２では、複数の撮影メニューの項目（選択肢）７２ａ〜７２ｃの中から画像モードを示す選択肢７２ａの表示位置にカーソル７２ｅが移動した状態となっている。
【００４８】
また、スピーカ１６４からは、たとえば「撮影メニューに入りました。現在、画像モードが選択されています。」というように、撮影メニューの操作画面に移行した旨、および、カーソル７２ｅによって画像モードが選択されている旨が音声で通知される。さらに、スピーカ１６４からは、たとえば「十字キーの上下を操作して撮影メニューの項目を選択してください。選択された撮影メニューの項目に移行する際には、十字キーの中央または右側を押してください。」、「撮影モードに戻る場合にはＭＥＮＵボタンを押してください」というように、撮影メニューの項目の選択方法や、選択した項目への移行方法などが音声で通知される。このように、スピーカ１６４からは、撮影条件の設定操作のどの段階であるのかといったカメラ１の現在の状態、および、以降の操作手順が音声で通知される。
【００４９】
すなわち、ＣＰＵ１０１は、いずれかの撮影モードに設定されているときに、ＭＥＮＵスイッチ１４４からの操作信号を受信すると、表示モニタ７へのスルー画の表示を中止させるとともに、図４（ａ）に示すような撮影メニュー画面７２を表示させるよう表示制御部１７１を制御する。また、ＣＰＵ１０１は、いずれかの撮影モードに設定されているときに、ＭＥＮＵスイッチ１４４からの操作信号を受信すると、撮影メニューの操作画面に移行した旨、カーソル７２ｅによって画像モードが選択されている旨、撮影メニューの項目の選択方法、および、選択した項目への移行方法を音声案内するための音声信号を音声出力回路１６３に出力する。
【００５０】
なお、ＣＰＵ１０１は、撮影メニュー画面７２を表示モニタ７に表示させているときに、ＭＥＮＵスイッチ１４４からの操作信号を受信すると、表示モニタ７へのスルー画の表示を再開し、元の撮影モードに戻るよう各部を制御する。また、ＣＰＵ１０１は、元の撮影モードに戻った旨を音声案内するための音声信号を音声出力回路１６３に出力する。
【００５１】
撮影メニュー画面７２が表示モニタ７に表示されているときに、十字操作キー６の下部または上部が押圧されると、上述した補助光発光モードの選択メニューに移行した場合と同様に、撮影メニュー画面７２上でカーソル７２ｅが下方または上方に移動する。また、スピーカ１６４からは、たとえば「ＩＳＯ感度が選択されています。」というように、移動したカーソル７２ｅによって選択されている撮影メニューの項目が音声で通知される。図４（ｂ）は、カーソル７２ｅによってＩＳＯ感度（選択肢７２ｂ）が選択されている状態を示す図である。
【００５２】
すなわち、ＣＰＵ１０１は、撮影メニュー画面７２を表示モニタ７に表示させているときに、十字キースイッチ１４７からの上方向信号、または、下方向信号を受信すると、カーソル７２ｅの表示位置を上方向または下方向に１つ移動させるように表示制御部１７１を制御する。また、ＣＰＵ１０１は、撮影メニュー画面７２を表示モニタ７に表示させているときに、十字キースイッチ１４７からの上方向信号、または、下方向信号を受信すると、カーソル７２ｅの移動先である撮影メニューの項目についての音声信号を音声出力回路１６３に出力する。
【００５３】
たとえば、図４（ａ）に示すように、カーソル７２ｅによって画像モード（選択肢７２ａ）が選択されているときに、十字操作キー６が圧下されるか、十字操作キー６の右部が押圧されると、図５（ａ）に示すように、撮影メニュー画面７２に代えて、画像モードの選択メニュー画面７３が表示モニタ７に表示される。図５（ａ）に示す画像モードの選択メニュー画面７３では、画像サイズおよび画質の複数の選択肢７３ａ〜７３ｄの中から画像サイズおよび画質がそれぞれ７メガピクセルおよびファインであることを示す選択肢７３ａの表示位置にカーソル７３ｅが移動した状態となっている。
【００５４】
また、スピーカ１６４からは、たとえば「画像モード選択メニューに入りました。現在、７メガファインです。」というように、画像モードの選択メニューに移行した旨、および、現在設定されている画像サイズおよび画質が音声で通知される。さらに、スピーカ１６４からは、たとえば「十字キーの上下を操作して画像サイズおよび画質を選択してください。選択された画像サイズおよび画質を確定させる際には、十字キーの中央を押してください。」というように、画像サイズおよび画質の選択方法、および、確定方法が音声で通知される。このように、スピーカ１６４からは、撮影条件の設定操作のどの段階であるのかといったカメラ１の現在の状態、および、以降の操作手順が音声で通知される。
【００５５】
すなわち、ＣＰＵ１０１は、カーソル７２ｅによって画像モード（選択肢７２ａ）が選択されているときに、十字キースイッチ１４７からの圧下信号、または、右方向信号を受信すると、表示モニタ７に、撮影メニュー画面７２に代えて、図５（ａ）に示すような画像モードの選択メニュー画面７３を表示させるよう表示制御部１７１を制御する。また、ＣＰＵ１０１は、カーソル７２ｅによって画像モード（選択肢７２ａ）が選択されているときに、十字キースイッチ１４７からの圧下信号、または、右方向信号を受信すると、画像モードの選択メニューに移行した旨、現在設定されている画像サイズおよび画質を音声案内するための音声信号を音声出力回路１６３に出力する。
【００５６】
ここで、十字操作キー６の下部または上部が押圧されると、上述したように、画像モードの選択メニュー画面７３上でカーソル７３ｅが下方または上方に移動する。また、スピーカ１６４からは、たとえば「７メガノーマルです。」というように、移動したカーソル７３ｅによって選択されている画像サイズおよび画質の選択肢が音声で通知される。図５（ｂ）は、カーソル７３ｅによって、画像サイズおよび画質がそれぞれ７メガピクセルおよびノーマルであることを示す選択肢７３ｂが選択されている状態を示す図である。
【００５７】
すなわち、ＣＰＵ１０１は、画像モードの選択メニュー画面７３を表示モニタ７に表示させているときに、十字キースイッチ１４７からの上方向信号、または、下方向信号を受信すると、カーソル７３ｅの表示位置を上方向または下方向に１つ移動させるように表示制御部１７１を制御する。また、ＣＰＵ１０１は、画像モードの選択メニュー画面７３を表示モニタ７に表示させているときに、十字キースイッチ１４７からの上方向信号、または、下方向信号を受信すると、カーソル７３ｅの移動先である画像サイズおよび画質の選択肢についての音声信号を音声出力回路１６３に出力する。
【００５８】
たとえば、図５（ｂ）に示すように、カーソル７３ｅによって選択肢７３ｂが選択されているときに、十字操作キー６が圧下されると、画像サイズおよび画質がそれぞれ７メガピクセルおよびノーマルに設定される。そして、表示モニタ７の表示画面が、図４（ａ）に示す撮影メニュー画面７２に戻る。
【００５９】
また、図５（ｂ）に示すように、カーソル７３ｅによって選択肢７３ｂが選択されているときに、十字操作キー６が圧下されると、スピーカ１６４からは、たとえば「７メガノーマルに設定されました。」というように、設定された画像サイズおよび画質が音声で通知される。
【００６０】
すなわち、ＣＰＵ１０１は、画像モードの選択メニュー画面７３が表示モニタ７に表示されているときに、十字キースイッチ１４７からの圧下信号を受信すると、被写体像を撮像する際の画像サイズおよび画質をカーソル７３ｅによって選択されている選択肢の画像サイズおよび画質に設定する。そして、ＣＰＵ１０１は、撮影メニュー画面７２を再び表示モニタ７に表示させるように表示制御部１７１を制御する。また、ＣＰＵ１０１は、設定した画像サイズおよび画質を音声案内するための音声信号を音声出力回路１６３に出力する。
【００６１】
なお、画像モードの選択メニュー画面７３が表示モニタ７に表示されているときに、十字操作キー６の左部が押圧されると、表示モニタ７の表示画面が、図４（ａ）に示す撮影メニュー画面７２に戻る。また、スピーカ１６４からは、撮影メニューの操作画面に移行した旨、現在のカーソル７２ｅで選択されている項目、項目の選択方法、および、選択した項目への移行方法などが再び音声で通知される。
【００６２】
すなわち、ＣＰＵ１０１は、画像モードの選択メニュー画面７３を表示モニタ７に表示させているときに、十字キースイッチ１４７から左方向信号を受信すると、撮影メニュー画面７２を再び表示モニタ７に表示させるように表示制御部１７１を制御する。また、ＣＰＵ１０１は、画像モードの選択メニュー画面７３を表示モニタ７に表示させているときに、十字キースイッチ１４７から左方向信号を受信すると、撮影メニューの操作画面に移行した旨、現在のカーソル７２ｅで選択されている項目、項目の選択方法、および、選択した項目への移行方法を音声案内するための音声信号を再び音声出力回路１６３に出力する。
【００６３】
上述の説明では、画像モードの変更に関する音声案内について説明したが、他の撮影メニューの項目である、ＩＳＯ感度、ホワイトバランス、マクロ撮影、手ぶれ補正などについても画像モードの変更の場合と同様であるので詳細な説明は省略する。
【００６４】
このように、本実施の形態のカメラ１では、表示モニタ７の表示内容などを視認しなくても、カメラ１から出力される音声によって使用者がカメラ１の状態を把握できる。
【００６５】
なお、カメラ１では、撮影モードや各撮影条件について、初期設定とは異なる条件に設定されると、表示モニタ７には対応するアイコンなどが表示される。設定確認ボタン９ｃの押圧時にカメラ１で音声案内される内容は、表示モニタ７にアイコンなどで表示される内容に対応するものである。また、カメラ１では、各撮影条件の設定の際には、撮影条件の設定操作のどの段階であるのかといったカメラ１の現在の状態が表示モニタ７に表示される。各撮影条件の設定の際にカメラ１で音声案内される内容は、表示モニタ７にアイコンなどで表示される内容に対応するものである。
【００６６】
−−−音声案内切り替え操作部１３の操作位置と音声案内の内容について−−−
本実施の形態のカメラ１では、上述したように、設定されている撮影条件の確認の際や、撮影条件設定の際に音声案内を行うものであるが、音声案内を行う必要がない場合もある。特に、使用者が健常者である場合、表示モニタ７に表示された表示内容を視認することで現在の撮影条件の設定状態などを確認できるので、逆に音声案内を煩わしく感じる恐れもある。また、視覚に障碍のある人の場合、カメラ１の操作に慣れていないうちは撮影条件の設定に際して詳しい音声案内を希望しても、カメラ１の操作に慣れてくると簡略化した短い音声案内を希望する場合がある。
【００６７】
そこで、本実施の形態のカメラ１では、音声案内切り替え操作部１３のスライド操作の位置によって音声案内の有無、内容を変更可能に構成した。音声案内切り替え操作部１３は、その操作位置として、「音声案内Ｉ」位置と、「音声案内ＩＩ」位置と、「ＯＦＦ」位置とを有する。
【００６８】
音声案内切り替え操作部１３が「音声案内Ｉ」位置に設定されている場合、設定確認ボタン９ｃの押圧によって、上述したように現在の撮影条件が音声で通知（案内）される。また、音声案内切り替え操作部１３が「音声案内Ｉ」位置に設定されている場合、上述したように、撮影条件の設定操作のどの段階であるのかといったカメラ１の現在の状態、および、以降の操作手順が音声で通知される。
【００６９】
音声案内切り替え操作部１３が「音声案内ＩＩ」位置に設定されている場合、音声案内切り替え操作部１３が「音声案内Ｉ」位置に設定されている場合と同様に、設定確認ボタン９ｃの押圧によって、上述したように現在の撮影条件が音声で通知される。また、音声案内切り替え操作部１３が「音声案内ＩＩ」位置に設定されている場合、撮影条件設定時に簡略化した音声案内が行われる。すなわち、音声案内切り替え操作部１３が「音声案内ＩＩ」位置に設定されている場合、撮影条件の設定操作のどの段階であるのかといったカメラ１の現在の状態が音声で通知されるが、以降の操作手順については、音声案内が行われない。
【００７０】
音声案内切り替え操作部１３が「音声案内ＩＩ」位置に設定されている場合、具体的には次のような音声案内が行われる。たとえば、いずれかの撮影モード下でＭＥＮＵボタン９ｂが押圧されると、スピーカ１６４からは、たとえば「撮影メニューに入りました。現在、画像モードが選択されています。」というように、撮影メニューの操作画面に移行した旨、および、カーソル７２ｅによって画像モードが選択されている旨が音声で通知される。しかし、たとえば「十字キーの上下を操作して撮影メニューの項目を選択してください。選択された撮影メニューの項目に移行する際には、十字キーの中央または右側を押してください。」、「撮影モードに戻る場合にはＭＥＮＵボタンを押してください」というような、撮影メニューの項目の選択方法や、選択した項目への移行方法などについては音声案内が行われない。
【００７１】
音声案内切り替え操作部１３が「ＯＦＦ」位置に設定されると、上述した現在の撮影条件の音声案内、および、撮影条件設定時の音声案内が行われない。
【００７２】
すなわち、ＣＰＵ１０１は、音声案内切り替えスイッチ１４８から出力される信号に基づいて、音声案内に関する判断を行い、適宜音声信号を音声出力回路１６３に出力する。
【００７３】
なお、イヤホン端子１４に外部音響機器が接続された場合、音声案内が必要であるものとして、音声案内切り替え操作部１３の操作位置が「ＯＦＦ」であっても、現在の撮影条件の音声案内、および、撮影条件設定時の音声案内が行われる。すなわち、ＣＰＵ１０１は、音声出力回路１６３から外部音響機器接続信号を受信すると、音声案内切り替え操作部１３が「ＯＦＦ」位置に設定されていると判断される場合であっても、音声案内切り替え操作部１３が「音声案内ＩＩ」位置に設定された場合と同様に音声案内を行うよう各部を制御する。なお、ＣＰＵ１０１は、音声案内切り替え操作部１３が「音声案内ＩＩ」位置、または、「音声案内Ｉ」位置に設定されていると判断される場合には、外部音響機器接続信号の受信の有無にかかわらず、音声案内切り替え操作部１３の設定位置に応じた音声案内を行うよう各部を制御する。
【００７４】
−−−フローチャート−−−
図６〜１４は、上述した音声案内を行うプログラムの処理内容を示すフローチャートである。不図示の電源スイッチがオンされると、この処理を行うプログラムが起動されて、ＣＰＵ１０１で実行される。図６のステップＳ１において、撮像素子２０２で撮像して得られたスルー画を表示モニタ７に表示させるよう各部を制御する。なお、初期設定とは異なる条件に設定されている撮像条件がある場合には、当該撮像条件に対応するアイコンもあわせて表示モニタ７に表示させるよう各部を制御する。ステップＳ１が実行されるとステップＳ３へ進み、音声出力回路１６３から外部音響機器接続信号を受信しているか否かを判断する。
【００７５】
ステップＳ３が否定判断されるとステップＳ５へ進み、イヤホンフラグに０をセットしてステップＳ７へ進む。ステップＳ７において、音声案内切り替えスイッチ１４８から出力される信号に基づいて、音声案内切り替え操作部１３の設定位置を判断してステップＳ９へ進む。
【００７６】
ステップＳ９において、ステップＳ７で判断した音声案内切り替え操作部１３の設定位置に基づいて、どのような音声案内を行うのかを決定するフラグに値をセットする。音声案内切り替え操作部１３の設定位置が「音声案内Ｉ」位置に設定されていると判断される場合には、フラグに１をセットする。音声案内切り替え操作部１３の設定位置が「音声案内ＩＩ」位置に設定されていると判断される場合には、フラグに２をセットする。音声案内切り替え操作部１３の設定位置が「ＯＦＦ」位置に設定されていると判断される場合には、フラグに３をセットする。ステップＳ９が実行されるとステップＳ１１へ進む。
【００７７】
ステップＳ３が肯定判断されるとステップＳ２５へ進み、イヤホンフラグに１をセットしてステップＳ２７へ進む。ステップＳ２７において、音声案内切り替えスイッチ１４８から出力される信号に基づいて、音声案内切り替え操作部１３の設定位置を判断してステップＳ２９へ進む。
【００７８】
ステップＳ２９において、ステップＳ２７で判断した音声案内切り替え操作部１３の設定位置に基づいて、どのような音声案内を行うのかを決定するフラグに値をセットする。音声案内切り替え操作部１３の設定位置が「音声案内Ｉ」位置に設定されていると判断される場合には、フラグに１をセットする。音声案内切り替え操作部１３の設定位置が「音声案内ＩＩ」位置または「ＯＦＦ」位置に設定されていると判断される場合には、フラグに２をセットする。ステップＳ２９が実行されるとステップＳ１１へ進む。
【００７９】
ステップＳ１１において、フラグに３がセットされているか否かを判断する。ステップＳ１１が肯定判断されると後述するステップＳ１７へ進む。ステップＳ３が否定判断されるとステップＳ１３へ進み、現在の撮影モードを読み込んでステップＳ１５へ進む。ステップＳ１５において、ステップＳ１３で読み込んだ現在の撮影モードの名称の音声信号を音声出力回路１６３に出力してステップＳ１７へ進む。
【００８０】
ステップＳ１７において、カメラ１に設けられたいずれかのスイッチから操作信号を受信したか否かを判断する。ステップＳ１７が否定判断されるとステップＳ１へ戻る。ステップＳ１７が肯定判断されるとステップＳ１９へ進み、ステップＳ１７で受信した操作信号がカメラ１の電源をオフする操作信号であったか否か、すなわちカメラ１の電源をオフする操作があったか否かを判断する。ステップＳ１９が肯定判断されるとステップＳ２１へ進み、カメラ１の電源をオフするために不図示の撮像光学系を初期位置に移動させるなど、各部を制御した後、本プログラムを終了する。
【００８１】
ステップＳ１９が否定判断されるとステップＳ２３へ進み、ステップＳ１７で受信した操作信号が十字キースイッチ１４７からの上方向信号であったか否か、すなわち十字操作キー６の上部が押圧されたか否かを判断する。ステップＳ２３が肯定判断されるとステップＳ１００へ進み、補助光発光モード変更処理のサブルーチンが実行される。ステップＳ１００の補助光発光モード変更処理については後述する。ステップＳ１００の補助光発光モード変更処理が実行されるとステップＳ１へ戻る。
【００８２】
ステップＳ２３が否定判断されると図７のステップＳ４１へ進み、ステップＳ１７で受信した操作信号がＭＥＮＵスイッチ１４４からの操作信号であったか否か、すなわちＭＥＮＵボタン９ｂが押圧されたか否かを判断する。ステップＳ４１が肯定判断されるとステップＳ２００へ進み、撮影メニュー操作処理のサブルーチンが実行される。ステップＳ２００の撮影メニュー操作処理については後述する。ステップＳ２００の撮影メニュー操作処理が実行されると図６のステップＳ１へ戻る。
【００８３】
ステップＳ４１が否定判断されるとステップＳ４３へ進み、図１のステップＳ１７で受信した操作信号が設定確認スイッチ１４５からの操作信号であったか否か、すなわち設定確認ボタン９ｃが押圧されたか否かを判断する。ステップＳ４３が肯定判断されるとステップＳ３００へ進み、設定状態音声案内処理のサブルーチンが実行される。ステップＳ３００の設定状態音声案内処理については後述する。ステップＳ３００の設定状態音声案内処理が実行されると図６のステップＳ１へ戻る。
【００８４】
ステップＳ４３が否定判断されるとステップＳ４５へ進み、図１のステップＳ１７で受信した操作信号がレリーズスイッチ１４１からの全押し操作信号であったか否か、すなわちレリーズボタン２が全押し操作されたか否かを判断する。ステップＳ４５が肯定判断されるとステップＳ４００へ進み、撮像処理のサブルーチンが実行される。ステップＳ４００の撮像処理については公知であるので説明を省略する。ステップＳ４００の撮像処理が実行されると図６のステップＳ１へ戻る。
【００８５】
ステップＳ４５が否定判断されるとステップＳ５００へ進み、図１のステップＳ１７で受信した操作信号に応じた処理が実行される。ステップＳ５００の処理については説明を省略する。ステップＳ５００の処理が実行されると図６のステップＳ１へ戻る。
【００８６】
−−−補助光発光モード変更処理−−−
図８，９は、上述したステップＳ１００の補助光発光モード変更処理のサブルーチンについてのフローチャートである。図６のステップＳ２３が肯定判断されると、本サブルーチンのステップＳ１０１へ進み、図３（ａ）に示すような補助光発光モードの選択メニュー画面７１が表示モニタ７に表示されるよう表示制御部１７１を制御してステップＳ１０３へ進む。ステップＳ１０３において、現在設定されている補助光発光モードを示すアイコンの表示位置にカーソル７１ｅが表示されるよう表示制御部１７１を制御してステップＳ１０５へ進む。
【００８７】
ステップＳ１０５において、フラグに３がセットされているか否かを判断する。ステップＳ１０５が否定判断されるとステップＳ１０７へ進み、補助光発光モードの選択メニュー画面に移行した旨、および、現在設定されている補助光の発光モードを音声案内するための音声信号を音声出力回路１６３に出力してステップＳ１０９へ進む。ステップＳ１０９において、フラグに１がセットされているか否かを判断する。ステップＳ１０９が否定判断されると後述するステップＳ１１３へ進む。ステップＳ１０９が肯定判断されるとステップＳ１１１へ進み、発光モードの選択・確定方法を音声案内するための音声信号を音声出力回路１６３に出力してステップＳ１１３へ進む。
【００８８】
ステップＳ１１３において、十字キースイッチ１４７からの上方向信号または下方向信号を受信したか否か、すなわち十字操作キー６の上部または下部が押圧されたか否かを判断する。ステップＳ１１３が否定判断されると後述するステップＳ１１９へ進む。ステップＳ１１３が肯定判断されるとステップＳ１１５へ進み、ステップＳ１１３において受信した操作信号に基づいて、カーソル７１ｅの表示位置を変更するよう表示制御部１７１を制御してステップＳ１１７へ進む。ステップＳ１１７において、ステップＳ１１５で変更させたカーソル７１ｅの表示位置に対応する補助光の発光モード、すなわち、カーソル７１ｅによって選択されている補助光の発光モードついての音声信号を音声出力回路１６３に出力してステップＳ１１９へ進む。
【００８９】
ステップＳ１１９において、十字キースイッチ１４７からの圧下信号を受信したか否か、すなわち十字操作キー６が圧下されたか否かを判断する。ステップＳ１１９が否定判断されるとステップＳ１１３へ戻る。ステップＳ１１９が肯定判断されるとステップＳ１２１へ進み、カーソル７１ｅによって選択されている発光モードを補助光発光モードとして設定してステップＳ１２３へ進む。ステップＳ１２３において、選択メニュー画面７１の表示モニタ７への表示を中止するよう表示制御部１７１を制御してステップＳ１２５へ進む。
【００９０】
ステップＳ１２５において、ステップＳ１２３で設定された補助光発光モードが自動発光モード以外であれば、設定された発光モードに対応するアイコンを表示モニタ７に表示させるように表示制御部１７１を制御してステップＳ１２７へ進む。ステップＳ１２７において、ステップＳ１２３で設定した発光モードを音声案内するための音声信号を音声出力回路１６３に出力して、図６に示す、メインルーチンのステップＳ１へ戻る。
【００９１】
ステップＳ１０５が肯定判断されると図９のステップＳ１３３へ進み、十字キースイッチ１４７からの上方向信号または下方向信号を受信したか否か、すなわち十字操作キー６の上部または下部が押圧されたか否かを判断する。ステップＳ１３３が否定判断されると後述するステップＳ１３９へ進む。ステップＳ１３３が肯定判断されるとステップＳ１３５へ進み、ステップＳ１３３において受信した操作信号に基づいて、カーソル７１ｅの表示位置を変更するよう表示制御部１７１を制御してステップＳ１３９へ進む。
【００９２】
ステップＳ１３９において、十字キースイッチ１４７からの圧下信号を受信したか否か、すなわち十字操作キー６が圧下されたか否かを判断する。ステップＳ１３９が否定判断されるとステップＳ１３３へ戻る。ステップＳ１３９が肯定判断されるとステップＳ１４１へ進み、カーソル７１ｅによって選択されている発光モードを補助光発光モードとして設定してステップＳ１４３へ進む。ステップＳ１４３において、選択メニュー画面７１の表示モニタ７への表示を中止するよう表示制御部１７１を制御してステップＳ１４５へ進む。
【００９３】
ステップＳ１４５において、ステップＳ１４３で設定された補助光発光モードが自動発光モード以外であれば、設定された発光モードに対応するアイコンを表示モニタ７に表示させるように表示制御部１７１を制御して、図６に示す、メインルーチンのステップＳ１へ戻る。
【００９４】
−−−撮影メニュー操作処理−−−
図１０〜１３は、上述したステップＳ２００の撮影メニュー操作処理のサブルーチンについてのフローチャートである。図７のステップＳ４１が肯定判断されると、本サブルーチンのステップＳ２０１へ進み、表示モニタ７のスルー画の表示を中止し、図４（ａ）に示すような撮影メニュー画面７２が表示モニタ７に表示されるよう表示制御部１７１を制御してステップＳ２０３へ進む。ステップＳ２０３において、画像モードを示す選択肢７２ａの表示位置にカーソル７２ｅが表示されるよう表示制御部１７１を制御してステップＳ２０４へ進む。
【００９５】
ステップＳ２０４において、ＭＥＮＵスイッチ１４４からの操作信号を受信したか否か、すなわちＭＥＮＵボタン９ｂが押圧されたか否かを判断する。ステップＳ２０４が肯定判断されるとステップＳ２８１へ進み、撮影メニュー画面７２の表示モニタ７への表示を中止するよう表示制御部１７１を制御して、図６に示す、メインルーチンのステップＳ１へ戻る。
【００９６】
ステップＳ２０４が否定判断されるとステップＳ２０５へ進み、フラグに３がセットされているか否かを判断する。ステップＳ２０５が否定判断されるとステップＳ２０７へ進み、撮影メニューの操作画面に移行した旨、および、カーソル７２ｅによって画像モードが選択されている旨を音声案内するための音声信号を音声出力回路１６３に出力してステップＳ２０９へ進む。ステップＳ２０９において、フラグに１がセットされているか否かを判断する。ステップＳ２０９が否定判断されると後述するステップＳ２１３へ進む。ステップＳ２０９が肯定判断されるとステップＳ２１１へ進み、撮影メニューの項目の選択方法、および、選択した項目への移行方法を音声案内するための音声信号を音声出力回路１６３に出力してステップＳ２１３へ進む。
【００９７】
ステップＳ２１３において、十字キースイッチ１４７からの上方向信号または下方向信号を受信したか否か、すなわち十字操作キー６の上部または下部が押圧されたか否かを判断する。ステップＳ２１３が否定判断されると後述するステップＳ２１９へ進む。ステップＳ２１３が肯定判断されるとステップＳ２１５へ進み、ステップＳ２１３において受信した操作信号に基づいて、カーソル７２ｅの表示位置を変更するよう表示制御部１７１を制御してステップＳ２１７へ進む。ステップＳ２１７において、ステップＳ２１５で変更させたカーソル７２ｅの表示位置に対応する撮影メニューの項目、すなわち、カーソル７２ｅによって選択されている項目ついての音声信号を音声出力回路１６３に出力してステップＳ２１９へ進む。
【００９８】
ステップＳ２１９において、十字キースイッチ１４７からの圧下信号または右方向信号を受信したか否か、すなわち十字操作キー６の圧下操作、または、十字操作キー６の右部の押圧操作があった否かを判断する。ステップＳ２１９が否定判断されるとステップＳ２１３へ戻る。ステップＳ２１９が肯定判断されるとステップＳ２２１へ進み、カーソル７２ｅによって選択されている項目についての設定画面（たとえば図５（ａ）に示す画像モードの選択メニュー画面７３）を表示モニタ７に表示させるよう表示制御部１７１を制御してステップＳ２２３へ進む。
【００９９】
ステップＳ２２３において、ステップＳ２２１を実行した結果、表示モニタ７に表示されている設定画面に係る撮影条件の現在の設定、に対応する当該設定画面上の表示位置にカーソルが表示されるよう表示制御部１７１を制御して、図１１のステップＳ２２５へ進む。
【０１００】
ステップＳ２２５において、フラグに３がセットされているか否かを判断する。ステップＳ２２５が否定判断されるとステップＳ２２７へ進み、カーソル７２ｅによって選択されていた項目についての設定画面に移行した旨、および、現在の設定状態を音声案内するための音声信号を音声出力回路１６３に出力してステップＳ２２９へ進む。ステップＳ２２９において、フラグに１がセットされているか否かを判断する。ステップＳ２２９が否定判断されると後述するステップＳ２３３へ進む。ステップＳ２２９が肯定判断されるとステップＳ２３１へ進み、撮影条件の選択・確定方法を音声案内するための音声信号を音声出力回路１６３に出力してステップＳ２３３へ進む。
【０１０１】
ステップＳ２３３において、十字キースイッチ１４７からの上方向信号または下方向信号を受信したか否か、すなわち十字操作キー６の上部または下部が押圧されたか否かを判断する。ステップＳ２３３が否定判断されると後述するステップＳ２３９へ進む。ステップＳ２３３が肯定判断されるとステップＳ２３５へ進み、ステップＳ２３３において受信した操作信号に基づいて、カーソルの表示位置を変更するよう表示制御部１７１を制御してステップＳ２３７へ進む。ステップＳ２３７において、ステップＳ２３５で変更させたカーソルの表示位置に対応する撮影条件、すなわち、カーソルによって選択されている撮影条件ついての音声信号を音声出力回路１６３に出力してステップＳ２３９へ進む。
【０１０２】
ステップＳ２３９において、十字キースイッチ１４７からの圧下信号を受信したか否か、すなわち十字操作キー６が圧下されたか否かを判断する。ステップＳ２３９が否定判断されるとステップＳ２３３へ戻る。ステップＳ２３９が肯定判断されるとステップＳ２４１へ進み、カーソルによって選択されている撮影条件を設定して、ステップＳ２４２へ進む。ステップＳ２４２において、ステップＳ２４１で設定された撮影条件を音声案内するための音声信号を音声出力回路１６３に出力して、図１０のステップＳ２０１へ戻る。
【０１０３】
図１０のステップＳ２０５が肯定判断されると図１２のステップＳ２４３へ進み、十字キースイッチ１４７からの上方向信号または下方向信号を受信したか否か、すなわち十字操作キー６の上部または下部が押圧されたか否かを判断する。ステップＳ２４３が否定判断されると後述するステップＳ２４９へ進む。ステップＳ２４３が肯定判断されるとステップＳ２４５へ進み、ステップＳ２４３において受信した操作信号に基づいて、カーソル７２ｅの表示位置を変更するよう表示制御部１７１を制御してステップＳ２４９へ進む。
【０１０４】
ステップＳ２４９において、十字キースイッチ１４７からの圧下信号または右方向信号を受信したか否か、すなわち十字操作キー６の圧下操作、または、十字操作キー６の右部の押圧操作があった否かを判断する。ステップＳ２４９が否定判断されるとステップＳ２４３へ戻る。ステップＳ２４９が肯定判断されるとステップＳ２５１へ進み、カーソル７２ｅによって選択されている項目についての設定画面（たとえば図５（ａ）に示す画像モードの選択メニュー画面７３）を表示モニタ７に表示させるよう表示制御部１７１を制御してステップＳ２５３へ進む。
【０１０５】
ステップＳ２５３において、ステップＳ２５１を実行した結果、表示モニタ７に表示されている設定画面に係る撮影条件の現在の設定、に対応する当該設定画面上の表示位置にカーソルが表示されるよう表示制御部１７１を制御して、図１１のステップＳ２２５へ進む。
【０１０６】
図１１のステップＳ２５５が肯定判断されると図１３のステップＳ２６３へ進み、十字キースイッチ１４７からの上方向信号または下方向信号を受信したか否か、すなわち十字操作キー６の上部または下部が押圧されたか否かを判断する。ステップＳ２６３が否定判断されると後述するステップＳ２６９へ進む。ステップＳ２６３が肯定判断されるとステップＳ２６５へ進み、ステップＳ２６３において受信した操作信号に基づいて、カーソルの表示位置を変更するよう表示制御部１７１を制御してステップＳ２６９へ進む。
【０１０７】
ステップＳ２６９において、十字キースイッチ１４７からの圧下信号を受信したか否か、すなわち十字操作キー６が圧下されたか否かを判断する。ステップＳ２６９が否定判断されるとステップＳ２６３へ戻る。ステップＳ２６９が肯定判断されるとステップＳ２７１へ進み、カーソルによって選択されている撮影条件を設定して、図１０のステップＳ２０１へ戻る。
【０１０８】
−−−設定状態音声案内処理−−−
図１４は、上述したステップＳ３００の設定状態音声案内処理のサブルーチンについてのフローチャートである。図７のステップＳ４３が肯定判断されると、本サブルーチンのステップＳ３０１へ進み、フラグに３がセットされているか否かを判断する。ステップＳ３０１が肯定判断されると図６のステップＳ１へ戻る。ステップＳ３０１が否定判断されるとステップＳ３０３へ進み、初期設定とは異なる条件に設定されている撮影条件の設定状態を読み込むとともに、モード切り替えスイッチ１４２から出力される信号に基づいて、現在設定されている撮影モードを判定してステップＳ３０５へ進む。
【０１０９】
ステップＳ３０５において、ステップＳ３０３で読み込んだ撮影条件の設定状態、および、判定した撮影モードについて音声案内するための音声信号の、音声出力回路１６３への出力を開始してステップＳ３０７へ進む。ステップＳ３０７において、ステップＳ３０５で開始した音声信号の出力が終了したか否かを判断する。ステップＳ３０７が肯定判断されると図６のステップＳ１へ戻る。
【０１１０】
ステップＳ３０７が否定判断されるとステップＳ３０９へ進み、設定確認スイッチ１４５からの操作信号を一定時間以上継続して受信したか否か、すなわち、設定確認ボタン９ｃが長押し操作されたか否かを判断する。ステップＳ３０９が肯定判断されるとステップＳ３１１へ進み、ステップＳ３０５で開始した音声信号の出力を強制的に終了させて図６のステップＳ１へ戻る。
【０１１１】
ステップＳ３０９が否定判断されるとステップＳ３１３へ進み、設定確認スイッチ１４５からの操作信号の継続受信時間が一定時間未満であったか否か、すなわち、設定確認ボタン９ｃが短押し操作されたか否かを判断する。ステップＳ３１３が否定判断されるとステップＳ３０７へ戻る。ステップＳ３１３が肯定判断されるとステップＳ３１５へ進み、音声出力回路１６３への出力している音声信号について、現在出力している項目（たとえばホワイトバランス）についての音声信号の出力を中止し、次に出力する項目（たとえば手ぶれ補正）についての音声信号の出力を開始して、ステップＳ３０７へ戻る。
【０１１２】
上述したカメラ１では、次の作用効果を奏する。
（１）  カメラ１で撮影条件を設定すると、どのような撮影条件が設定されたのかを音声で案内するように構成した。したがって、表示モニタ７の表示内容などを視認しなくても、カメラ１から出力される音声によってどのような撮影条件が設定されたのかを把握できる。これにより、視覚に障碍がある使用者でも、カメラ１がどのような撮影条件に設定されたのかを把握できる。
【０１１３】
（２）  撮影条件の設定の際に、使用者の操作に応じて、撮影条件の設定操作のどの段階であるのかといったカメラ１の現在の状態などを音声で案内するように構成した。したがって、表示モニタ７の表示内容などを視認しなくても、カメラ１から出力される音声によって、撮影条件の設定操作のどの段階であるのかといったカメラ１の現在の状態などを把握できる。これにより、視覚に障碍がある使用者でも、カメラ１の撮影条件を容易に変更できる。
【０１１４】
（３）  被写体像の撮像を行ういずれかの撮影モードに設定されているときに、設定確認ボタン９ｃが押圧されると、初期設定とは異なる条件に設定されている撮影条件を音声で通知するように構成した。したがって、表示モニタ７の表示内容などを視認しなくても、カメラ１から出力される音声によって、カメラ１で現在設定されている撮影条件を把握できる。これにより、視覚に障碍がある使用者でも、カメラ１で現在設定されている撮影条件を容易に把握できる。また、初期設定とは異なる条件に設定されている撮影条件だけを音声で通知するように構成したので、音声案内が冗長にならず、利便性が高い。
【０１１５】
（４）  撮影条件の設定の際に、カーソルで選んだ選択肢が音声で案内されるように構成した。したがって、表示モニタ７の表示内容などを視認しなくても、カメラ１から出力される音声によって、現在選択されている撮影条件を把握できる。これにより、視覚に障碍がある使用者でも、カメラ１で現在選択されている撮影条件を容易に把握でき、視覚に障碍がある使用者にとってもカメラ１の撮影条件設定が容易となる。
【０１１６】
（５）  撮影条件の設定の際に、以降の操作手順が音声で通知されるように構成した。したがって、操作説明書などを見なくても撮影条件の設定方法を理解できる。これにより、視覚に障碍がある使用者でも、撮影条件の設定方法を容易に理解できる。
【０１１７】
（６）  音声案内される内容が表示モニタ７にアイコンなどで表示される内容に対応するように構成したので、表示モニタ７の表示内容などを視認しなくても、カメラ１から出力される音声によって、表示モニタ７の表示内容を把握できる。これにより、視覚に障碍がある使用者でも、表示モニタ７の表示内容を把握でき、視覚に障碍がある使用者にとってもカメラ１の操作が容易となる。
【０１１８】
（７）  音声案内切り替え操作部１３の操作によって、音声案内の有無、内容を変更可能に構成した。これにより、音声案内の有無、内容に関して使用者の意志を反映させることができるので、利便性が高い。
【０１１９】
（８）  音声案内切り替え操作部１３が「ＯＦＦ」位置に設定されると、音声案内が行われないように構成した。これにより、健常者がカメラ１を使用する場合のように音声案内が不要となる場合や、静かな環境下での撮影や野生動物の撮影のように音声を出力させたくない場合にも対応できる。
【０１２０】
（９）  イヤホン端子１４に外部音響機器が接続された場合、音声案内が必要であるものとして、音声案内切り替え操作部１３の操作位置が「ＯＦＦ」であっても音声案内が行われるように構成した。これにより、音声案内切り替え操作部１３の操作をし忘れても外部音響機器から音声案内の音声が出力されるので、利便性が高い。
【０１２１】
−−−変形例−−−
（１）  上述の説明では、撮像素子２０２によって被写体像を撮像する電子カメラについて説明したが、本発明はこれに限定されず、フィルムを用いる銀塩カメラに対しても本発明を適用できる。
【０１２２】
（２）  上述の説明では、現在設定されている撮影条件を音声案内する際に、初期設定とは異なる条件に設定されている撮影条件だけを音声案内するように構成したが、本発明はこれに限定されない。たとえば、設定確認スイッチ１４５からの操作信号を受信すると、初期設定とは異なるか否かにかかわらず、あらかじめ定められた撮影条件に関しては、設定状態を音声案内するための音声信号を、ＣＰＵ１０１が音声出力回路１６３に出力するように構成してもよい。これにより、現在設定されている撮影条件を音声で漏れなく確認でき、視覚に障碍のある使用者でも、現在設定されている撮影条件を正確に把握できる。
【０１２３】
また、上述したフラグに応じて、以下のように音声案内するための音声信号をＣＰＵ１０１が音声出力回路１６３に出力するように構成してもよい。すなわち、上述したフラグに１がセットされている場合には、初期設定とは異なるか否かにかかわらず、あらかじめ定められた撮影条件に関しては、設定状態を音声案内するための音声信号を、ＣＰＵ１０１が音声出力回路１６３に出力するように構成してもよい。そして、上述したフラグに２がセットされている場合には、初期設定とは異なる条件に設定されている撮影条件についてのみ、設定状態を音声案内するための音声信号を、ＣＰＵ１０１が音声出力回路１６３に出力するように構成してもよい。
【０１２４】
なお、設定確認ボタン９ｃが押圧された際に音声案内が行われる撮影条件をあらかじめ使用者が選択できるようにしてもよい。
【０１２５】
（３）  上述の説明において、音声出力回路１６３から外部音響機器接続信号を受信すると、音声案内切り替え操作部１３の操作位置に関わらず、常に音声案内切り替え操作部１３が「音声案内Ｉ」位置に設定された場合と同様に、ＣＰＵ１０１が各部を制御するように構成してもよい。すなわち、図６のステップＳ２９において、フラグを常に１にセットするようにしてもよい。
【０１２６】
（４）  上述の説明では、カーソルの移動先の項目を音声案内している最中にカーソルが再び移動された際の動作については言及していないが、たとえば次のようにしてもよい。すなわち、カーソルの移動先に対応する項目について、ＣＰＵ１０１が音声信号を音声出力回路１６３に出力している最中に、十字キースイッチ１４７からの上方向信号、または、下方向信号を受信すると、現に出力している音声信号の出力をＣＰＵ１０１が中止するように構成してもよい。そして、ＣＰＵ１０１が、カーソルの新たな移動先に対応する項目について、音声信号を音声出力回路１６３に出力し始めるように構成してもよい。
【０１２７】
（５）  たとえば、設定確認ボタン９ｃが押圧されると、画像サイズおよび画質を音声案内するようにしてもよい。また、設定確認ボタン９ｃが押圧されると、バッテリ残量や、メモリカード１６２の空き容量（すなわち記録可能なコマ数）を音声案内するようにしてもよい。すなわち、設定確認スイッチ１４５からの操作信号を受信すると、画像サイズや画質、バッテリ残量、記録可能なコマ数などに関する音声信号を、ＣＰＵ１０１が音声出力回路１６３に出力するように構成してもよい。
【０１２８】
（６）  たとえば、音声出力回路１６３から外部音響機器接続信号を受信すると、電力消費量低減のために表示モニタ７の表示を中止するよう、ＣＰＵ１０１が表示制御部１７１を制御するように構成してもよい。
【０１２９】
（７）  たとえば、モード切り替えダイヤル３が回動された時点で、モード切り替えダイヤル３の回動位置に応じて設定される撮影モードを音声で通知するようにしてもよい。すなわち、モード切り替えスイッチ１４２から出力される信号の変化を検出すると、モード切り替えスイッチ１４２から現に出力されている信号に基づいて、撮影モードを音声案内するための音声信号を、ＣＰＵ１０１が音声出力回路１６３に出力するように構成してもよい。
（８）  上述した各実施の形態および変形例は、それぞれ組み合わせてもよい。
【０１３０】
なお、本発明は、上述した実施の形態のものに何ら限定されず、被写体像を撮像する撮像手段と、使用者の操作により撮影に関する各種撮影条件や使用者の指示を入力する操作部材と、操作部材で入力された撮影条件を設定する撮影条件設定手段と、撮影条件設定手段で設定された撮影条件について音声出力する音声出力手段とを備える各種構造のカメラを含むものである。
【図面の簡単な説明】
【０１３１】
【図１】本発明を適用したカメラ１の斜視図である。
【図２】カメラ１の構成を説明するブロック図である。
【図３】撮影条件設定時の表示モニタ７の表示内容を示す図である。
【図４】撮影条件設定時の表示モニタ７の表示内容を示す図である。
【図５】撮影条件設定時の表示モニタ７の表示内容を示す図である。
【図６】音声案内を行うプログラムの処理内容を示すフローチャートである。
【図７】音声案内を行うプログラムの処理内容を示すフローチャートである。
【図８】音声案内を行うプログラムの処理内容を示すフローチャートである。
【図９】音声案内を行うプログラムの処理内容を示すフローチャートである。
【図１０】音声案内を行うプログラムの処理内容を示すフローチャートである。
【図１１】音声案内を行うプログラムの処理内容を示すフローチャートである。
【図１２】音声案内を行うプログラムの処理内容を示すフローチャートである。
【図１３】音声案内を行うプログラムの処理内容を示すフローチャートである。
【図１４】音声案内を行うプログラムの処理内容を示すフローチャートである。
【符号の説明】
【０１３２】
１  カメラ                          ３  モード切り替えダイヤル
６  十字操作キー                    ７  表示モニタ
９ｂ  ＭＥＮＵボタン                ９ｃ  設定確認ボタン
１３  音声案内切り替え操作部        １４  イヤホン端子
１０１  ＣＰＵ                      １４２  モード切り替えスイッチ
１４４  ＭＥＮＵスイッチ            １４５  設定確認スイッチ
１４７  十字キースイッチ            １４８  音声案内切り替えスイッチ
１６３  音声出力回路                １６４  スピーカ
１６５  イヤホン接続部              １７１  表示制御部
【図１】
2009117947.tif 000003
【図２】
2009117947.tif 000004
【図３】
2009117947.tif 000005
【図４】
2009117947.tif 000006
【図５】
2009117947.tif 000007
【図６】
2009117947.tif 000008
【図７】
2009117947.tif 000009
【図８】
2009117947.tif 000010
【図９】
2009117947.tif 000011
【図１０】
2009117947.tif 000012
【図１１】
2009117947.tif 000013
【図１２】
2009117947.tif 000014
【図１３】
2009117947.tif 000015
【図１４】
2009117947.tif 000016